(57)【要約】【課題】ボンベをリース装置と組み合わせてレンタル・販売を行うボンベリースシステムを提供する。【解決手段】ボンベリースシステムは、１つ以上のリース装置１と、クラウドサーバ機器２とを備える。リース装置１は、リースメインラックと、少なくとも１つの制御装置と、少なくとも１つの自動開閉装置と、少なくとも１つのラベル走査装置と、少なくとも１つの気体検出装置とを有する。クラウドサーバ機器２は、リース装置１と通信する。ボンベリースシステムは、応用ユニット３１を有する電子機器３をさらに備える。応用ユニット３１は、クラウドサーバ機器２と通信し、応用ユニット３１の内部にインストールされた操作インタフェースソフトウェア又はクラウドサーバ機器２の内部にセットアップされた操作インタフェースソフトウェアが電子機器３上に表示され、ボンベのレンタル作業又は／及び返却作業を行う。【選択図】図１Ａ
2020086500.tif 000002
【特許請求の範囲】
【請求項１】
１つ以上のリース装置と、クラウドサーバ機器と、を備えたボンベリースシステムであって、
前記リース装置は、リースメインラックと、少なくとも１つの制御装置と、少なくとも１つの自動開閉装置と、少なくとも１つのラベル走査装置と、少なくとも１つの気体検出装置と、を有し、
前記リースメインラックの内部には、１つ以上の配置ラック領域が設けられ、各前記配置ラック領域には、前記リースメインラックの表面に開閉可能ドアプレートが配設され、前記配置ラック領域には、ボンベが配置され、前記ボンベの表面には、少なくとも１つの識別ラベルが設けられ、
前記制御装置は、前記リースメインラックの内部に配設されて前記リース装置の駆動を制御するとともに、ネットワーク方式により情報の受信及び送信を行うネットワーク通信機能を有し、
前記自動開閉装置は、前記開閉可能ドアプレートと前記配置ラック領域との間に配設されるとともに、前記制御装置と電気的に接続され、前記自動開閉装置は、前記開閉可能ドアプレートの開閉を自動的に行い、
前記ラベル走査装置は、前記リースメインラックの内部に配設されるとともに、前記制御装置と電気的に接続され、前記ボンベの表面の識別ラベルを走査して得た前記ボンベの情報を前記制御装置へ送信し、
前記気体検出装置は、前記リースメインラックの内部に配設されるとともに、前記制御装置と電気的に接続され、前記リースメインラックの内部の気体データを検出して得た気体情報を前記制御装置へ送信し、
前記クラウドサーバ機器は、前記リース装置と通信するとともに、機器情報管理ユニット及びリース管理ユニットを有し、
前記機器情報管理ユニットは、前記リース装置の内部状態情報を受信し、管理が容易となるように記録し、前記リース装置の内部状態情報には、前記ボンベの数、前記ボンベの情報及び気体データが含まれ、各前記リース装置の位置を記録し、各前記配置ラック領域の使用状態をリアルタイムで更新し、
前記リース管理ユニットは、前記制御装置と電気的に接続され、レンタル基本データを生成し、前記レンタル基本データには、賃借人の個人情報、レンタル保証金の金額、レンタル記録及び返却記録が含まれ、前記レンタル記録は、何れか１つの前記リース装置から取り出された少なくとも１つの前記ボンベのイベント記録データであり、返却記録は、何れか１つの前記リース装置に返却された少なくとも１つの前記ボンベのイベント記録データであることを特徴とする、
ボンベリースシステム。
【請求項２】
前記リースメインラックの前記制御装置は、内部に操作インタフェースソフトウェアがインストールされる、又は／及び、前記クラウドサーバ機器は、内部に操作インタフェースソフトウェアがセットアップされることを特徴とする請求項１に記載のボンベリースシステム。
【請求項３】
前記リースメインラックの表面には、前記クラウドサーバ機器と通信する少なくとも１つの表示・制御装置が取り付けられ、前記表示・制御装置は、前記ボンベのレンタル作業又は／及び返却作業を行うことを特徴とする請求項２に記載のボンベリースシステム。
【請求項４】
応用ユニットを有する電子機器をさらに備え、前記応用ユニットは、前記クラウドサーバ機器と通信し、前記応用ユニットの内部にインストールされた前記操作インタフェースソフトウェア又は前記クラウドサーバ機器の内部にセットアップされた前記操作インタフェースソフトウェアが前記電子機器上に表示され、前記ボンベのレンタル作業又は／及び返却作業を行い、前記電子機器は、ウェブページにアクセスして操作し得るデスクトップ型パソコン、ノート型パソコン、スマートフォン又はタブレットコンピュータであることを特徴とする請求項２に記載のボンベリースシステム。
【請求項５】
前記リースメインラックの表面には、前記制御装置と電気的に接続された少なくとも１つのファン装置が取り付けられ、前記ファン装置は、前記リースメインラックの内外の空気を加速させて対流させることを特徴とする請求項１に記載のボンベリースシステム。
【請求項６】
前記リースメインラックの内部又は／及び外部には、前記制御装置と電気的に接続された少なくとも１つの撮影装置が配設され、前記撮影装置は、前記リースメインラックの内部又は／及び外部を撮影して得た画像情報を前記制御装置へ送信することを特徴とする請求項１に記載のボンベリースシステム。
【請求項７】
前記リースメインラックの内部には、前記制御装置と電気的に接続された少なくとも１つの印刷装置が配設され、前記印刷装置は、レシートを印刷することを特徴とする請求項１に記載のボンベリースシステム。
【請求項８】
前記リースメインラックの表面には、前記制御装置と電気的に接続された少なくとも１つの顔認証装置が配設され、前記顔認証装置は、人の顔の画像をキャプチャし、前記制御装置へ送信して人の顔を認証することを特徴とする請求項１に記載のボンベリースシステム。
【請求項９】
前記リースメインラックの表面には、前記制御装置と電気的に接続された少なくとも１つのカードリーダ装置が配設され、前記カードリーダ装置は、如何なるカードも読取ることができ、読取ったカード情報を前記制御装置へ送信し、前記カード情報は、クレジットカード情報又は／及び身分証明情報であることを特徴とする請求項１に記載のボンベリースシステム。
【請求項１０】
各放置ラック領域の内部には、少なくとも１つの位置決め装置が配設され、前記位置決め装置は、少なくとも１つの前記ボンベを前記配置ラック領域の内部に固定配置させることを特徴とする請求項１に記載のボンベリースシステム。
【請求項１１】
前記リースメインラックの内部には、前記制御装置と電気的に接続された少なくとも１つの位置決めセンサ装置が配設され、前記位置決めセンサ装置は、前記位置決め装置上に少なくとも１つの前記ボンベが配置されているか否かを検出することを特徴とする請求項１０に記載のボンベリースシステム。
【請求項１２】
前記リースメインラックの表面には、前記制御装置と電気的に接続された少なくとも１つのＮＦＣリーダ装置が配設され、前記ＮＦＣリーダ装置は、ＮＦＣ情報を受信し、得られた前記ＮＦＣ情報を前記制御装置へ送信することを特徴とする請求項１に記載のボンベリースシステム。
【請求項１３】
前記リースメインラックの表面には、前記制御装置と電気的に接続された複数の表示ランプが配設され、前記表示ランプは、前記開閉可能ドアプレートの開閉状態を発光により表示することを特徴とする請求項１に記載のボンベリースシステム。
【請求項１４】
前記リースメインラックの内部には、前記制御装置と電気的に接続された少なくとも１つの温度センサ装置が配設され、前記温度センサ装置は、前記リースメインラックの内部の温度情報を検出し、検出した前記温度情報を前記制御装置へ送信することを特徴とする請求項１に記載のボンベリースシステム。
【請求項１５】
前記リースメインラックの表面には、前記制御装置と電気的に接続された少なくとも１つのバーコード走査装置が配設され、前記バーコード走査装置は、走査してバーコード情報を得て、得られた前記バーコード情報を前記制御装置へ送信することを特徴とする請求項１に記載のボンベリースシステム。
【発明の詳細な説明】
【技術分野】
【０００１】
本発明は、ボンベリースシステムに関し、特に、ボンベをリース装置と組み合わせてレンタル・販売を行うボンベリースシステムに関する。
【背景技術】
【０００２】
登山は心身の健康増進に役立ち、心肺機能及び血液循環機能を向上させて個人の体力及び持久力を高めることができるため、好ましい余暇活動として勧められている。外国の研究報告によると、高度２４４０メートルを超えると高地肺水腫を起こし易くなり、高度２７５０メートルを超えると高地脳浮腫を起こし易くなり、急性高山病は、高度３０００メートル以上の高い山を登るときによく起きる病気であることが分かっている。
【０００３】
そのため、酸素の供給は非常に重要であり、酸素を吸入すると、酸素不足により引き起こされる高山病、高地肺水腫などの高地障害症候群を防ぐことができる上、高地の酸素不足により引き起こされる高山病、高地肺水腫、高地脳浮腫などの高地障害症候群の治療及び救急医療にも酸素吸入は利用されていた。また、酸素吸入は高山病の予防及び救急医療に利用されるだけでなく、心肺機能に問題がある患者の救急医療、家庭での酸素療法、妊婦の健康管理、脳の疲労回復などに効果を有する。
【０００４】
また、酸素の他には二酸化炭素もよく使用されるようになってきている。例えば、飲み物に二酸化炭素を注入して圧力を加え、飲み物に気泡を加えると、飲用するときの口当たりが良くなり（例えば、炭酸飲料、ビールなど）、二酸化炭素のニーズが徐々に高まっている。
【発明の概要】
【発明が解決しようとする課題】
【０００５】
しかし、酸素又は二酸化炭素のボンベの取得は容易でない上、レンタルした後、返却することも大きな問題であった。そのため、ボンベをリース装置と組み合わせてリース・販売及び返却を行うことができる場合、賃借人は容易にレンタル及び返却を行うことができる。
【課題を解決するための手段】
【０００６】
上記課題を解決するために、本発明の第１の形態によれば、１つ以上のリース装置と、クラウドサーバ機器と、を備えたボンベリースシステムであって、前記リース装置は、リースメインラックと、少なくとも１つの制御装置と、少なくとも１つの自動開閉装置と、少なくとも１つのラベル走査装置と、少なくとも１つの気体検出装置と、を有し、前記リースメインラックの内部には、１つ以上の配置ラック領域が設けられ、各前記配置ラック領域には、前記リースメインラックの表面に開閉可能ドアプレートが配設され、前記配置ラック領域には、ボンベが配置され、前記ボンベの表面には、少なくとも１つの識別ラベルが設けられ、前記制御装置は、前記リースメインラックの内部に配設されて前記リース装置の駆動を制御するとともに、ネットワーク方式により情報の受信及び送信を行うネットワーク通信機能を有し、前記自動開閉装置は、前記開閉可能ドアプレートと前記配置ラック領域との間に配設されるとともに、前記制御装置と電気的に接続され、前記自動開閉装置は、前記開閉可能ドアプレートの開閉を自動的に行い、前記ラベル走査装置は、前記リースメインラックの内部に配設されるとともに、前記制御装置と電気的に接続され、前記ボンベの表面の識別ラベルを走査して得た前記ボンベの情報を前記制御装置へ送信し、前記気体検出装置は、前記リースメインラックの内部に配設されるとともに、前記制御装置と電気的に接続され、前記リースメインラックの内部の気体データを検出して得た気体情報を前記制御装置へ送信し、前記クラウドサーバ機器は、前記リース装置と通信するとともに、機器情報管理ユニット及びリース管理ユニットを有し、前記機器情報管理ユニットは、前記リース装置の内部状態情報を受信し、管理が容易となるように記録し、前記リース装置の内部状態情報には、前記ボンベの数、前記ボンベの情報及び気体データが含まれ、各前記リース装置の位置を記録し、各前記配置ラック領域の使用状態をリアルタイムで更新し、前記リース管理ユニットは、前記制御装置と電気的に接続され、レンタル基本データを生成し、前記レンタル基本データには、賃借人の個人情報、レンタル保証金の金額、レンタル記録及び返却記録が含まれ、前記レンタル記録は、何れか１つの前記リース装置から取り出された少なくとも１つの前記ボンベのイベント記録データであり、返却記録は、何れか１つの前記リース装置に返却された少なくとも１つの前記ボンベのイベント記録データであることを特徴とする、ボンベリースシステムが提供される。
【０００７】
前記リースメインラックの前記制御装置は、内部に操作インタフェースソフトウェアがインストールされる、又は／及び、前記クラウドサーバ機器は、内部に操作インタフェースソフトウェアがセットアップされることが好ましい。
【０００８】
前記リースメインラックの表面には、前記クラウドサーバ機器と通信する少なくとも１つの表示・制御装置が取り付けられ、前記表示・制御装置は、前記ボンベのレンタル作業又は／及び返却作業を行うことが好ましい。
【０００９】
応用ユニットを有する電子機器をさらに備え、前記応用ユニットは、前記クラウドサーバ機器と通信し、前記応用ユニットの内部にインストールされた前記操作インタフェースソフトウェア又は前記クラウドサーバ機器の内部にセットアップされた前記操作インタフェースソフトウェアが前記電子機器上に表示され、前記ボンベのレンタル作業又は／及び返却作業を行い、前記電子機器は、ウェブページにアクセスして操作し得るデスクトップ型パソコン、ノート型パソコン、スマートフォン又はタブレットコンピュータであることが好ましい。
【００１０】
前記リースメインラックの表面には、前記制御装置と電気的に接続された少なくとも１つのファン装置が取り付けられ、前記ファン装置は、前記リースメインラックの内外の空気を加速させて対流させることが好ましい。
【００１１】
前記リースメインラックの内部又は／及び外部には、前記制御装置と電気的に接続された少なくとも１つの撮影装置が配設され、前記撮影装置は、前記リースメインラックの内部又は／及び外部を撮影して得た画像情報を前記制御装置へ送信することが好ましい。
【００１２】
前記リースメインラックの内部には、前記制御装置と電気的に接続された少なくとも１つの印刷装置が配設され、前記印刷装置は、レシートを印刷することが好ましい。
【００１３】
前記リースメインラックの表面には、前記制御装置と電気的に接続された少なくとも１つの顔認証装置が配設され、前記顔認証装置は、人の顔の画像をキャプチャし、前記制御装置へ送信して人の顔を認証することが好ましい。
【００１４】
前記リースメインラックの表面には、前記制御装置と電気的に接続された少なくとも１つのカードリーダ装置が配設され、前記カードリーダ装置は、如何なるカードも読取ることができ、読取ったカード情報を前記制御装置へ送信し、前記カード情報は、クレジットカード情報又は／及び身分証明情報であることが好ましい。
【００１５】
各放置ラック領域の内部には、少なくとも１つの位置決め装置が配設され、前記位置決め装置は、少なくとも１つの前記ボンベを前記配置ラック領域の内部に固定配置させることが好ましい。
【００１６】
前記リースメインラックの内部には、前記制御装置と電気的に接続された少なくとも１つの位置決めセンサ装置が配設され、前記位置決めセンサ装置は、前記位置決め装置上に少なくとも１つの前記ボンベが配置されているか否かを検出することが好ましい。
【００１７】
前記リースメインラックの表面には、前記制御装置と電気的に接続された少なくとも１つのＮＦＣリーダ装置が配設され、前記ＮＦＣリーダ装置は、ＮＦＣ情報を受信し、得られた前記ＮＦＣ情報を前記制御装置へ送信することが好ましい。
【００１８】
前記リースメインラックの表面には、前記制御装置と電気的に接続された複数の表示ランプが配設され、前記表示ランプは、前記開閉可能ドアプレートの開閉状態を発光により表示することが好ましい。
【００１９】
前記リースメインラックの内部には、前記制御装置と電気的に接続された少なくとも１つの温度センサ装置が配設され、前記温度センサ装置は、前記リースメインラックの内部の温度情報を検出し、検出した前記温度情報を前記制御装置へ送信することが好ましい。
【００２０】
前記リースメインラックの表面には、前記制御装置と電気的に接続された少なくとも１つのバーコード走査装置が配設され、前記バーコード走査装置は、走査してバーコード情報を得て、得られた前記バーコード情報を前記制御装置へ送信することが好ましい。
【図面の簡単な説明】
【００２１】
【図１Ａ】本発明の一実施形態に係るボンベリースシステムの全体構成を示す図である。
【図１Ｂ】本発明の一実施形態に係るボンベリースシステムのリース装置の構成を示す図である。
【図１Ｃ】本発明の一実施形態に係るボンベリースシステムのクラウドサーバの構成を示す図である。
【図２Ａ】本発明の一実施形態に係るボンベリースシステムのリース装置を示す斜視図である。
【図２Ｂ】本発明の一実施形態に係るボンベリースシステムのリース装置の内部空間を示す説明図である。
【図３】本発明の一実施形態に係るボンベリースシステムのリース装置の配置用ラックの内部を示す説明図である。
【発明を実施するための形態】
【００２２】
本発明の他の技術内容、特徴及び効果について、以下、図面を参照しながら好適な実施例の詳細な説明で明らかにする。
【００２３】
図１Ａ〜図２Ｂを参照する。
図１Ａは、本発明の一実施形態に係るボンベリースシステムの全体構成を示す図である。図１Ｂは、本発明の一実施形態に係るボンベリースシステムのリース装置の構成を示す図である。図１Ｃは、本発明の一実施形態に係るボンベリースシステムのクラウドサーバの構成を示す図である。図２Ａは、本発明の一実施形態に係るボンベリースシステムのリース装置を示す斜視図である。図２Ｂは、本発明の一実施形態に係るボンベリースシステムのリース装置の内部空間を示す説明図である。
【００２４】
図１Ａ〜図２Ｂに示すように、本発明の一実施形態に係るボンベリースシステムは、１つ以上のリース装置１と、クラウドサーバ機器２と、を含む。
【００２５】
リース装置１は、リースメインラック１０１を含む。リースメインラック１０１は、防爆筐体である。リースメインラック１０１の内部には、少なくとも１つの制御装置１０２と、１つ以上の配置ラック領域１０３と、が設けられる。制御装置１０２は、リース装置１の駆動を制御する。制御装置１０２は、ネットワーク通信機能を有し、ネットワーク方式で情報の受信及び送信を行う。
【００２６】
２つの配置ラック領域１０３間には、少なくとも１つの通風口を有する仕切り板（図示せず）がそれぞれ配置され、少なくとも２つの配置ラック領域１０３間に空気を流通させる。各配置ラック領域１０３には、少なくとも１つのボンベ（ボンベの表面上には少なくとも１つの識別ラベルが設けられ、ボンベに充填される気体は酸素、二酸化炭素及び不活性ガスである）が設置される。
【００２７】
各配置ラック領域１０３には、リースメインラック１０１の表面に開閉可能ドアプレート１０４が配設される。開閉可能ドアプレート１０４と配置ラック領域１０３との間には、制御装置１０２と電気的に接続された自動開閉装置１０５が配設される。自動開閉装置１０５は、制御装置１０２の指令を受信し、開閉可能ドアプレート１０４の開閉を自動的に行う（開閉可能ドアプレート１０４を開閉する際、音声を一緒に鳴らしてもよい）。
【００２８】
各配置ラック領域１０３の内部には、少なくとも１つの位置決め装置１０３１が配設される。図３に示すように、少なくとも１つのボンベ４は、配置ラック領域１０３の内部に固定配置され、リースメインラック１０１の内部には、制御装置１０２と電気的に接続され、位置決め装置１０３１上に少なくとも１つのボンベ４が配置されているか否かを検出する位置決めセンサ装置１１３が少なくとも１つ配設される。
【００２９】
リースメインラック１０１の内部には、制御装置１０２と電気的に接続されたラベル走査装置１０６が少なくとも１つ配設され、ボンベ４表面の識別ラベル（例えば、ＲＦＩＤバーコード、ＱＲコード（登録商標）など）をラベル走査装置１０６により走査し、走査して得たボンベの情報を制御装置１０２へ送信するため、配置ラック領域１０３の内部に貯蔵したボンベ４の番号を識別ラベルにより識別し、配置ラック領域１０３の内部に配置されているボンベが規定を満たしているか否かを判断する。
【００３０】
リースメインラック１０１の内部には、制御装置１０２と電気的に接続された気体検出装置１０７が少なくとも１つ配設され、リースメインラック１０１の内部の気体データを気体検出装置１０７により検出する。検出して得られた気体情報は制御装置１０２へ送信されるため、リースメインラック１０１の内部の気体が外部へ漏れ出ているかを検出することができ、制御装置１０２は、検出した気体データをクラウドサーバ機器２へ送信し、クラウドサーバ機器２により処理する。
【００３１】
リースメインラック１０１の表面には、クラウドサーバ機器２と通信する少なくとも１つの表示・制御装置１０８が取り付けられる。表示・制御装置１０８は、以下２種類の形式を含む。
【００３２】
（１）表示・制御装置１０８は、少なくとも１つの表示スクリーン及び少なくとも１つの制御ボタンを含む。表示スクリーンには、制御装置１０２の内部にインストールされた操作インタフェースソフトウェア又はクラウドサーバ機器２の内部にセットアップされた操作インタフェースソフトウェアが表示され、制御ボタンを押下してボンベ４のレンタル作業又は／及び返却作業を行う。
（２）表示・制御装置１０８はタッチスクリーンである。このタッチスクリーンには、制御装置１０２の内部にインストールされた操作インタフェースソフトウェア又はクラウドサーバ機器２にセットアップされた操作インタフェースソフトウェアが表示され、タッチスクリーンをタップしてボンベ４のレンタル作業又は／及び返却作業を行う。
【００３３】
リースメインラック１０１の表面には、制御装置１０２と電気的に接続されたファン装置１０９が少なくとも１つ取り付けられる。ファン装置１０９により制御装置１０２を起動し、リースメインラック１０１内外の空気を加速させて対流させることができるため、温度センサ装置１１６により内部温度が高すぎることを検出すると、制御装置１０２によりファン装置１０９を自動的に起動して放熱を行うか、クラウドサーバ機器２により制御装置１０２を遠隔操作し、ファン装置１０９を駆動させる。
【００３４】
リースメインラック１０１の内部又は／及び外部には、制御装置１０２と電気的に接続された撮影装置１１０が少なくとも１つ配設される。撮影装置１１０は、リースメインラック１０１の内部又は／外部を撮影し、その画像情報を制御装置１０２へ送信し、リースメインラック１０１の表面には、制御装置１０２と電気的に接続された表示ランプ１１５（例えばＬＥＤランプ）が複数配設され、開閉可能ドアプレート１０４の開閉状態を発光により表示する。
【００３５】
リースメインラック１０１の内部には、払い込み用紙、レシートなどを印刷する、制御装置１０２と電気的に接続された印刷装置１１１が少なくとも１つ配設される。
【００３６】
リースメインラック１０１の表面には、制御装置１０２と電気的に接続されたカードリーダ装置１１２が少なくとも１つ配設される。カードリーダ装置１１２は、如何なるカードも読取ることができ、読取ったカード情報を制御装置１０２へ送信する。カード情報は、クレジットカード情報又は／及び身分証明情報である。
【００３７】
リースメインラック１０１の表面には、ＮＦＣ（Ｎｅａｒ  Ｆｉｅｌｄ  Ｃｏｍｍｕｎｉｃａｔｉｏｎ）情報を受信する、制御装置１０２と電気的に接続されたＮＦＣリーダ装置１１４が少なくとも１つ配設され、得られたＮＦＣ情報を制御装置１０２へ送信し、第三者の支払いと、被雇用者又はレンタル主がログインして使用するために用いてもよい。
【００３８】
リースメインラック１０１の内部には、制御装置１０２と電気的に接続された温度センサ装置１１６が少なくとも１つ配設され、リースメインラック１０１の内部の温度情報を検出し、検出した温度情報を温度センサ装置１１６により制御装置１０２へ送信する。
【００３９】
リースメインラック１０１の表面には、制御装置１０２と電気的に接続された顔認証装置１１７が少なくとも１つ配設される。顔認証装置１１７は、人の顔の画像をキャプチャし、制御装置１０２へ送信して顔認証を行う。リースメインラック１０１の表面には、走査してバーコード情報を得て、得たバーコード情報を制御装置１０２へ送信する、制御装置１０２と電気的に接続されたバーコード走査装置１１８が少なくとも１つ配設されてもよい。
【００４０】
クラウドサーバは、機器情報管理ユニット２１と、機器情報管理ユニット２１と接続されたリース管理ユニット２２と、を含む。機器情報管理ユニット２１は、リース装置１の内部状態情報を受信し、記録して容易に管理を行う。リース装置１の内部状態情報は、ボンベの数、ボンベの情報及び気体データを含む。機器情報管理ユニット２１は、各ボンベ４のリース装置１の位置を記録し、各配置ラック領域１０３の使用状態をリアルタイムで更新することができる。
【００４１】
リース管理ユニット２２は、レンタル基本データを生成する。このレンタル基本データは、賃借人の個人情報、レンタル保証金の金額、レンタル記録及び返却記録を含む。レンタル記録は、何れか１つのリース装置１から取り出された少なくとも１つのボンベ４のイベント記録データである。返却記録は、何れか１つのリース装置１に返却された少なくとも１つのボンベ４のイベント記録データである。
【００４２】
また、本実施形態のボンベリースシステムは、応用ユニット３１を有する電子機器３をさらに含んでもよい。ここで電子機器とは、デスクトップ型パソコン、ノート型パソコン、スマートフォン、タブレットコンピュータなど、ウェブページにアクセスして操作することができる電子機器である。
応用ユニット３１は、クラウドサーバ機器２と通信するとともに、応用ユニット３１の内部にインストールされた操作インタフェースソフトウェア又はクラウドサーバの内部にセットアップされた操作インタフェースソフトウェアを電子機器３上に表示し、ボンベ４のレンタル作業又は／及び返却作業を行う。
【００４３】
購入する前に、賃借人は先ずインターネットを介して応用ユニット３１を使用するか、リース装置１により賃借人の個人情報を入力して直接登録した後、オンライン決済、コンビニ決済するかリース装置１により支払ツールを走査し（カードリーダ装置１１２、ＮＦＣリーダ装置１１４又はバーコード走査装置１１８により、決済可能なカードを走査する）、レンタル保証金を支払う。
【００４４】
ボンベ４のレンタル方式には、以下（１）〜（３）の方式が含まれる。
（１）何れか１台のリース装置１において、賃借人の個人情報を入力した後、レンタルするボンベの数及び規格を選択し、オンライン決済又はコンビニ決済を行った後、リース装置１のドアが自動的に開くため、賃借人はボンベを取出すことができる。
（２）何れか１台のリース装置１において、携帯電話によりリース装置１上のバーコード（ここでバーコードは、リース装置１の表面に貼り合わされているか、リース装置１のスクリーン上に表示される）を走査した後、クラウドサーバ機器２に構築された操作インタフェースソフトウェアと通信し、賃借人の個人情報を入力すると、レンタルするボンベの数及び規格を選択することができ、オンライン決済又はコンビニ決済すると、リース装置１のドアが自動的に開いて賃借人はボンベ４を取出すことができる。
（３）賃借人は電子機器を使用し、クラウドサーバ機器２に構築された操作インタフェースソフトウェアと通信して賃借人の個人情報を入力すると、レンタルするボンベの数及び規格を選択することができ、オンライン決済又はコンビニ決済を行うと、賃借人はクラウドサーバ機器２により、どのリース装置１からボンベ４を取り出すかを指定することができる（賃借人が自ら検索して取り出すボンベ４のリース装置１を選択することができる）。
【００４５】
ボンベ４の返却方式には、以下（１）〜（３）の方式が含まれる。
（１）直接何れか１台のリース装置１で、賃借人の個人情報を入力して「返却」を選択すると、リース装置１により空の配置ラック領域１０３が自動的に開かれるため、賃借人はボンベ４を配置ラック領域１０３中に設置することができる。
（２）携帯電話によりリース装置１上のバーコードを走査した後、クラウドサーバ機器２に構築された操作インタフェースソフトウェアと通信し、賃借人の個人情報を入力した後、「返却」を選択すると、リース装置１は、空の配置ラック領域１０３が自動的に開き、賃借人はボンベ４を配置ラック領域１０３中に設置することができる。
（３）賃借人は、電子機器を使用してクラウドサーバ機器２に構築された操作インタフェースソフトウェアと通信し、賃借人の個人情報を入力してから、「返却」を選択すると、賃借人はどのリース装置１でボンベ４を返却するか指定することができる（賃借人は自ら検索してボンベ４を返却するリース装置１を選択することができる）。
【００４６】
また、賃借人はレンタル保証金を先に支払わなければならない。もしレンタル期限を過ぎても返却されない場合、レンタル保証金から自動的に天引きされ、携帯電話の電話番号又はＥ−ｍａｉｌにより賃借人に、返却が未だされておらず、レンタル保証金から天引きされたことを通知する。
【００４７】
また、賃借人がボンベ４をレンタルして取り出すか返却する毎にクラウドサーバ機器２が記録するため、各リース装置１の使用状況を効率よく管理し、充填されたボンベをリアルタイムで補充することができ、適切に案内するか賃借人自らがレンタルして取出したり返却したりする装置の位置を検索することができる。
【００４８】
上述したことから分かるように、本発明のボンベリースシステムは、従来技術と比べ、以下（１）及び（２）の長所を有する。
（１）ボンベをリース装置と組み合わせてレンタル、販売及び返却を行い、賃借人が容易に取得及び返却を行うことができる。
（２）各リース装置の放置ラック領域の使用状況を把握し、気体が充填されたボンベを即時に補充することができるとともに、レンタル及び返却する装置の位置を案内したり賃借人自ら調べたりすることができる。
【００４９】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００５０】
１  リース装置
２  クラウドサーバ機器
３  電子機器
４  ボンベ
２１  機器情報管理ユニット
２２  リース管理ユニット
３１  応用ユニット
１０１  リースメインラック
１０２  制御装置
１０３  配置ラック領域
１０４  開閉可能ドアプレート
１０５  自動開閉装置
１０６  ラベル走査装置
１０７  気体検出装置
１０８  表示・制御装置
１０９  ファン装置
１１０  撮影装置
１１１  印刷装置
１１２  カードリーダ装置
１１３  位置決めセンサ装置
１１４  ＮＦＣリーダ装置
１１５  表示ランプ
１１６  温度センサ装置
１１７  顔認証装置
１１８  バーコード走査装置
１０３１  位置決め装置
【図１Ａ】
2020086500.tif 000003
【図１Ｂ】
2020086500.tif 000004
【図１Ｃ】
2020086500.tif 000005
【図２Ａ】
2020086500.tif 000006
【図２Ｂ】
2020086500.tif 000007
【図３】
2020086500.tif 000008